(57)【要約】      （修正有）【課題】レンズ構造を提供する。【解決手段】鏡筒１１１を有するレンズ１１０と、画像センサ１２０と、レンズと画像センサとの間に位置する固定ベース１３０と、タイトリング１４１と、タイトリングと固定ベースに当接されるように、タイトリングと固定ベースとの間に位置し、且つ弾性材料によって構成される位置決めリング１４２と、を含み、前記鏡筒を取り囲む調整機構１４０と、を備える。【選択図】図１Ｃ
0003214383.tif 000002
【実用新案登録請求の範囲】
【請求項１】
鏡筒を有するレンズと、
画像センサと、
前記レンズと前記画像センサとの間に位置する固定ベースと、
タイトリングと、前記タイトリングと前記固定ベースに当接されるように、前記タイトリングと前記固定ベースとの間に位置し、且つ弾性材料によって構成される位置決めリングと、を含み、前記鏡筒を取り囲む調整機構と、
を備えるレンズ構造。
【請求項２】
前記タイトリングは、内輪面、第１端面、第１斜面及び外輪面を有し、前記第１端面が前記外輪面と前記第１斜面に接続され、前記第１斜面が前記第１端面と前記内輪面に接続され、前記内輪面が前記レンズの前記鏡筒に接触され、且つ前記第１端面、前記第１斜面及び前記内輪面は共に第１面取りを形成する請求項１に記載のレンズ構造。
【請求項３】
前記第１面取りのサイズは、５ｃｍ〜８ｃｍである請求項２に記載のレンズ構造。
【請求項４】
前記外輪面は、前記タイトリングの前記鏡筒から離れる側に位置し、且つ前記外輪面が六角形を定義する請求項２〜３の何れか１項に記載のレンズ構造。
【請求項５】
前記固定ベースは内穴面、第２端面及び第２斜面を有し、前記第２斜面が前記第２端面と前記内穴面に接続され、前記内穴面が前記レンズの前記鏡筒に接触され、且つ前記第２端面、前記第２斜面及び前記内穴面は共に第２面取りを形成する請求項２〜４の何れか１項に記載のレンズ構造。
【請求項６】
前記固定ベースの前記第２面取りのサイズは、５ｃｍ〜８ｃｍである請求項５に記載のレンズ構造。
【請求項７】
前記位置決めリングは自然な幅を有し、前記タイトリングの前記第１端面と前記固定ベースの前記第２端面とは互いに反対であり、前記位置決めリングが前記タイトリングと前記固定ベースに当接される場合、前記位置決めリングの前記タイトリングの前記第１端面から前記固定ベースの前記第２端面までの最大の垂直距離と前記自然な幅との比率は二分の一〜四分の一である請求項５〜６の何れか１項に記載のレンズ構造。
【請求項８】
前記位置決めリングは、前記タイトリングと前記固定ベースに当接される場合、前記タイトリングの前記第１斜面から前記固定ベースの前記第２斜面までの最大の垂直距離が前記タイトリングの前記第１端面から前記固定ベースの前記第２端面までの最大の垂直距離より大きい請求項７に記載のレンズ構造。
【請求項９】
前記画像センサは、前記固定ベースの第１側にロッキングされる請求項１〜８の何れか１項に記載のレンズ構造。
【請求項１０】
前記固定ベースは、前記第１側に対する第２側に位置する接合部を有し、且つ前記接合部は鏡孔を有し、前記レンズの前記鏡筒と前記鏡孔を螺合させるように、前記鏡孔の内穴面内に内部スレッドが設けられ、前記レンズの前記鏡筒に外部スレッドが設けられる請求項９に記載のレンズ構造。
【考案の詳細な説明】
【技術分野】
【０００１】
本考案は、レンズ構造に関する。
【背景技術】
【０００２】
一般的に、従来のレンズ止め構造は、レンズのシートと画像センサとの間の距離を撮影対象の画面を明らかに表示する（即ち、合焦）まで調整して、この焦点距離を固定する構造である。
【考案の概要】
【考案が解決しようとする課題】
【０００３】
現在、よく見られる従来の技術として、タッピングねじ、バネ、止めねじ等の異なる止め部材によってレンズと画像センサとの距離を固定するものがある。しかし、上記止め部材によってレンズをロックする場合、レンズスレッドを損傷する懸念があり、再度合焦しにくい。なお、画像センサは、上記止め部材によってロックする場合に連動されて、レンズが画像センサの中心からずれ、画像品質に影響を及ぼすこともある。
【課題を解決するための手段】
【０００４】
本考案は、簡単に組み立てられる構造を有するレンズ構造に関する。
【０００５】
本考案の一実施態様は、鏡筒を有するレンズと、画像センサと、レンズと画像センサとの間に位置する固定ベースと、タイトリングと、タイトリングと固定ベースに当接されるように、タイトリングと固定ベースとの間に位置し、弾性材料によって構成される位置決めリングと、を含み、鏡筒に設けられる調整機構と、を備えるレンズ構造を与える。
【０００６】
本考案の一部の実施例において、前記タイトリングは、内輪面、第１端面、第１斜面及び外輪面を有し、第１端面が外輪面と第１斜面に接続され、第１斜面が第１端面と内輪面に接続され、内輪面がレンズの鏡筒に接触され、且つ第１端面、第１斜面及び内輪面は共に第１面取りを形成する。
【０００７】
本考案の一部の実施例において、前記第１面取りのサイズは、５ｃｍ〜８ｃｍである。
【０００８】
本考案の一部の実施例において、前記外輪面はタイトリングの鏡筒から離れる側に位置し、且つ外輪面が六角形を定義する。
【０００９】
本考案の一部の実施例において、前記固定ベースは内穴面、第２端面及び第２斜面を有し、第２斜面が第２端面と内穴面に接続され、内穴面がレンズの鏡筒に接触され、且つ第２端面、第２斜面及び内穴面は共に第２面取りを形成する。
【００１０】
本考案の一部の実施例において、前記固定ベースの第２面取りのサイズは、５ｃｍ〜８ｃｍである。
【００１１】
本考案の一部の実施例において、前記位置決めリングは自然な幅を有し、タイトリングの第１端面と固定ベースの第２端面とは互いに反対であり、位置決めリングがタイトリングと固定ベースに当接される場合、タイトリングの第１端面から固定ベースの第２端面までの最大の垂直距離と自然な幅との比率は二分の一〜四分の一である。
【００１２】
本考案の一部の実施例において、前記位置決めリングは、タイトリングと固定ベースに当接される場合、そのタイトリングの第１斜面から固定ベースの第２斜面までの最大の垂直距離がそのタイトリングの第１端面から固定ベースの第２端面までの最大の垂直距離より大きい。
【００１３】
本考案の一部の実施例において、前記画像センサは、固定ベースの第１側にロッキングされる。
【００１４】
本考案の一部の実施例において、前記固定ベースは、第１側に対する第２側に位置する接合部を有し、且つ接合部は鏡孔を有し、レンズの鏡筒と鏡孔を螺合させるように、鏡孔の内穴面に内部スレッドが設けられ、レンズの鏡筒に外部スレッドが設けられる。
【００１５】
以上のように、本考案の実施例のレンズ構造は、調整機構が弾性材料によって構成される位置決めリング及びタイトリングを有する配置になるので、調整機構がレンズをロックする場合、位置決めリングの弾性によってレンズを締め付け及び固定することができる。且つ、位置決めリングを締める時に多軸方向の止め力が発生するため、レンズが画像センサの中心からずれるリスクを避けることができる。このため、レンズ構造は、破壊的な組み合わせを用いることなく、レンズを固定する機能を達成させ、レンズの損傷リスクを低減することができる。なお、本考案の実施例の位置決めリングが弾性材料によって構成されるため、事前に位置決めすることができ、レンズをロックした後で、また必要に応じてレンズの焦点距離を微調整して、簡単且つ精確な組み立てプロセスを達成させることができる。撮影対象の距離が変わると、焦点距離に対する微調整によって、再ロック及びフォーカスのための工数を節約することができる。
【図面の簡単な説明】
【００１６】
下記詳細的な記述を読んで対応する図面を参照すると、本考案の複数の態様を理解することができる。注意すべきなのは、当業界における標準的なやり方に基づき、複数の特徴は比例で描かない。実際に、明らかに検討するために、複数の特徴のサイズは任意に拡大又は縮小することができる。
【図１Ａ】本考案の一実施例によるレンズ構造を示す斜視模式図である。
【図１Ｂ】本考案の一実施例によるレンズ構造を示す側面模式図である。
【図１Ｃ】本考案の一実施例によるレンズ構造を示す断面模式図である。
【図２Ａ】本考案の一実施例による位置決めリングを示す部分模式図である。
【図２Ｂ】本考案の一実施例による位置決めリングがタイトリングと固定ベースに当接される時の部分模式図である。
【図３】本考案の一実施例によるタイトリングを示す斜視模式図である。
【考案を実施するための形態】
【００１７】
図１Ａ〜図１Ｃを参照されたい。図１Ａは、本考案の一実施例によるレンズ構造１００を示す斜視模式図である。図１Ｂは、本考案の一実施例によるレンズ構造１００を示す側面模式図である。図１Ｃは、本考案の一実施例によるレンズ構造１００を示す断面模式図である。図１Ａ〜図１Ｃに示すように、本実施例のレンズ構造１００は、レンズ１１０と、画像センサ１２０と、固定ベース１３０と、調整機構１４０と、を備える。本実施例において、画像センサ１２０は、例えば、電荷結合素子（ｃｈａｒｇｅ−ｃｏｕｐｌｅｄ  ｄｅｖｉｃｅ；ＣＣＤ）或いは相補型金属酸化物半導体アクティブピクセルセンサ（ＣＭＯＳ  Ａｃｔｉｖｅ  ｐｉｘｅｌ  ｓｅｎｓｏｒ）であるが、本考案はこれに制限されない。
【００１８】
具体的に、図１Ａ〜図１Ｃに示すように、本実施例において、レンズ１１０は、鏡筒１１１を有する。固定ベース１３０は、レンズ１１０と画像センサ１２０との間に位置する。図１Ｃに示すように、本実施例において、画像センサ１２０は、固定ベース１３０の第１側ＬＳ１にロッキングされる。一方、固定ベース１３０は、第１側ＬＳ１に対する第２側ＬＳ２に位置する接合部１３１を有し、且つ接合部１３１は鏡孔ＣＬを有し、レンズ１１０の鏡筒１１１と鏡孔ＣＬを螺合させるように、鏡孔ＣＬの内穴面ＳＣＬ内に内部スレッドが設けられ、レンズ１１０の鏡筒１１１に外部スレッドが設けられる。
【００１９】
なお、図１Ａ〜図１Ｃに示すように、本実施例において、調整機構１４０は、タイトリング１４１と、位置決めリング１４２と、を含み、鏡筒１１１を取り囲む。位置決めリング１４２は、タイトリング１４１と固定ベース１３０に当接されるように、タイトリング１４１と固定ベース１３０との間に位置する。本実施例において、調整機構１４０がレンズ１１０をロックして且つ合焦まで調整した場合、位置決めリング１４２とタイトリング１４１及び固定ベース１３０との当接及び位置決めリング１４２の弾性によってレンズ１１０を締め付け及び固定することができるように、位置決めリング１４２は、弾性材料によって構成される。
【００２０】
以下、図２Ａ及び図２Ｂに合わせて、本考案の調整機構１４０のレンズ１１０に対するロック過程を更に説明する。
【００２１】
図２Ａは、本考案の一実施例による位置決めリング１４２を示す部分模式図である。図２Ｂは、本考案の一実施例による位置決めリング１４２がタイトリング１４１と固定ベース１３０に当接される時の部分模式図である。図２Ａに示すように、本実施例において、タイトリング１４１は、内輪面ＩＣＳ、第１端面ＳＳ１、第１斜面ＳＬ１、及び外輪面ＯＣＳを有し、第１端面ＳＳ１が外輪面ＯＣＳと第１斜面ＳＬ１に接続され、第１斜面ＳＬ１が第１端面ＳＳ１と内輪面ＩＣＳに接続され、内輪面ＩＣＳがレンズ１１０の鏡筒１１１に接触され、且つ第１端面ＳＳ１、第１斜面ＳＬ１及び内輪面ＩＣＳは共に第１面取りＡ１を形成する。例えば、本実施例において、第１面取りＡ１のサイズは、５ｃｍ〜８ｃｍである。注意すべきなのは、上記各パラメータ範囲は、例示的に説明するためのものだけであり、本考案を制限するためのものではない。
【００２２】
一方、また図２Ａに示すように、本実施例において、固定ベース１３０は、内穴面ＳＣＬ、第２端面ＳＳ２及び第２斜面ＳＬ２を有し、第２斜面ＳＬ２が第２端面ＳＳ２及び内穴面ＳＣＬに接続され、内穴面ＳＣＬがレンズ１１０の鏡筒１１１に接触され、且つ第２端面ＳＳ２、第２斜面ＳＬ２及び内穴面ＳＣＬは共に第２面取りＡ２を形成する。例えば、本実施例において、固定ベース１３０の第２面取りＡ２のサイズは、５ｃｍ〜８ｃｍである。注意すべきなのは、上記各パラメータ範囲は、例示的に説明するためのものだけであり、本考案を制限するためのものではない。
【００２３】
更に、図２Ａに示すように、本実施例において、タイトリング１４１の第１端面ＳＳ１と固定ベース１３０の第２端面ＳＳ２とは互いに反対であり、且つ位置決めリング１４２はタイトリング１４１と固定ベース１３０によって締められない場合、自然な幅Ｌを有する。次に、図２Ｂに示すように、本実施例において、位置決めリング１４２がタイトリング１４１と固定ベース１３０に当接される場合、位置決めリング１４２のタイトリング１４１の第１端面ＳＳ１から固定ベース１３０の第２端面ＳＳ２までの最大の垂直距離Ｗ１と自然な幅Ｌとの比率は二分の一〜四分の一である。このように、図２Ｂに示すように、位置決めリング１４２の設置によって、位置決めリング１４２がタイトリング１４１と固定ベース１３０に当接される時に、その弾性による止め力によってレンズ１１０を締め付け及び固定することができる。且つ、位置決めリング１４２は弾性を有するため、レンズ１１０をロックする場合、鏡筒１１１のスレッドを損傷することがない。このため、レンズ構造１００は破壊的な組み合わせを用いることなく、レンズ１１０を固定する機能を達成させることができ、レンズ１１０を損傷するリスクを低減することができる。
【００２４】
なお、本考案の実施例の位置決めリング１４２が弾性材料によって構成されるため、事前に位置決めすることができ、また、レンズ１１０をロックした後で、また必要に応じてレンズ１１０の焦点距離を微調整して、簡単且つ精確な組み立てプロセスを達成させることができる。撮影対象の距離が変わると、焦点距離に対する微調整によって、再ロック及びフォーカスのための工数を節約することができる。
【００２５】
一方、図２Ｂに示すように、位置決めリング１４２がタイトリング１４１と固定ベース１３０に当接される場合、位置決めリング１４２のタイトリング１４１の第１斜面ＳＬ１から固定ベース１３０の第２斜面ＳＬ２までの最大の垂直距離Ｗ２は、位置決めリング１４２のタイトリング１４１の第１端面ＳＳ１から固定ベース１３０の第２端面ＳＳ２までの最大の垂直距離Ｗ１より大きい。このように、第１面取りＡ１及び第２面取りＡ２の構造設計は、位置決めリング１４２とタイトリング１４１、固定ベース１３０及び鏡筒１１１との接触面積を拡大してもよく、位置決めリング１４２がタイトリング１４１と固定ベース１３０によって締められる場合、より多くの方向からの反力及び反トルク力を発生して一緒に止めることができ、レンズ１１０をより効果的に固定することができる。なお、位置決めリング１４２がタイトリング１４１と固定ベース１３０に当接される時に発生した多軸方向の止め力によって、レンズ１１０が画像センサ１２０中心からずれるリスクを避けることができる。
【００２６】
図３は、本考案の一実施例によるタイトリング１４１を示す斜視模式図である。本実施例において、外輪面ＯＣＳは、タイトリング１４１の鏡筒１１１から離れる側に位置し、且つ六角形を定義する。このように、タイトリング１４１の外輪面ＯＣＳが六角形を定義する設計によって、より位置決めやすくなり、且つより高感度な位置決め機能を有する。例えば、タイトリング１４１の外輪面ＯＣＳが六角形である場合、操作者は、直接に手動回動で焦点距離を調整することができ、位置決めしやすい。なお、より精確なトルクテストを必要とする場合、トルクメータで付勢位置決めを行うことができ、位置決めがより精確である。
【００２７】
以上のように、本考案の実施例のレンズ構造は、調整機構が弾性材料によって構成される位置決めリング及びタイトリングを有する配置になるので、調整機構がレンズをロックする場合、位置決めリングの弾性によってレンズを締め付け及び固定することができる。且つ、位置決めリングを締める時に多軸方向の止め力が発生するため、レンズが画像センサの中心からずれるリスクを避けることができる。このため、レンズ構造は、破壊的な組み合わせを用いることなく、レンズを固定する機能を達成させ、レンズの損傷リスクを低減することができる。なお、本考案の実施例の位置決めリングが弾性材料によって構成されるため、事前に位置決めすることができ、レンズをロックした後で、また必要に応じてレンズの焦点距離を微調整して、簡単且つ精確な組み立てプロセスを達成させることができる。撮影対象の距離が変わると、焦点距離に対する微調整によって、再ロック及びフォーカスのための工数を節約することができる。
【符号の説明】
【００２８】
１００  レンズ構造
１１０  レンズ
１１１  鏡筒
１２０  画像センサ
１３０  固定ベース
１３１  接合部
１４０  調整機構
１４１  タイトリング
１４２  位置決めリング
ＣＬ  鏡孔
Ｌ  自然な幅
ＬＳ１  第１側
ＬＳ２  第２側
ＳＳ１  第１端面
ＳＳ２  第２端面
ＳＬ１  第１斜面
ＳＬ２  第２斜面
Ａ１  第１面取り
Ａ２  第２面取り
ＳＣＬ  内穴面
ＩＣＳ  内輪面
ＯＣＳ  外輪面
Ｗ１、Ｗ２  距離
【図１Ａ】
0003214383.tif 000003
【図１Ｂ】
0003214383.tif 000004
【図１Ｃ】
0003214383.tif 000005
【図２Ａ】
0003214383.tif 000006
【図２Ｂ】
0003214383.tif 000007
【図３】
0003214383.tif 000008